(57)【要約】【課題】絶縁ハウジングの曲がり変形が防止できるかード用コネクタを提供する。【解決手段】本発明のカード用コネクタは、収容部が形成される絶縁ハウジングと、前記絶縁ハウジングに取付けられ、カードを収容するための収容空間が形成されるシェルと、複数のコンタクトと、回路基板に実装するための位置決め部材と、を有する端子モジュールとを含む回路基板に実装されたカード用コネクタにおいて、前記端子モジュールが前記絶縁ハウジングの収容部に分離可能的に収容され、且つ端子モジュールのコンタクトが直ちに回路基板に半田付けられる。絶縁ハウジングと回路基板との半田付け操作が省略するので、絶縁ハウジングの曲がり変形が防止できる。【選択図】図２
2008130545.tif 000002
【特許請求の範囲】
【請求項１】
収容部が形成される絶縁ハウジングと、
前記絶縁ハウジングに取付けられ、カードを収容するための収容空間が形成されるシェルと、
複数のコンタクトと回路基板に実装するための位置決め部材とを有する端子モジュールと、
を含む回路基板に実装されたカード用コネクタにおいて、
前記端子モジュールが前記絶縁ハウジングの収容部に分離可能に収容され、且つ端子モジュールのコンタクトが直ちに回路基板に半田付けされることを特徴とするカード用コネクタ。
【請求項２】
前記端子モジュールは本体部を有し、前記コンタクトはインサート形成により本体部に一体的に形成されたことを特徴とする、請求項１に記載のカード用コネクタ。
【請求項３】
前記端子モジュールのコンタクトは、前後方向に沿って前後二列をとして配置されている第１端子組と第２端子組とを含み、各コンタクトは前記収容空間へ突出するコンタクト部と、回路基板に半田付ける半田部と、前記コンタクト部及び半田部を連接するための連接部とを有することを特徴とする、請求項２に記載のカード用コネクタ。
【請求項４】
前記端子モジュールは、前記本体部の一側から延出するように形成された翼部が設けられ、カードが前記収容空間に完全に挿入されたか否かを検知するためのスイッチ部材が前記翼部に装着され、該端子モジュールが前記位置決め部材によって回路基板に位置決めされることを特徴とする、請求項３に記載のカード用コネクタ。
【請求項５】
前記絶縁ハウジングに複数の凹部が形成され、前記シェルには前記凹部にそれぞれ対応した係止片が形成され、前記係止片が凹部に係止されることにより前記シェルが前記絶縁ハウジングに係合されることを特徴とする、請求項４に記載のカード用コネクタ。
【請求項６】
前記シェルの両側には、位置決め部がそれぞれ形成され、該位置決め部により、前記シェルと前記ハウジングが回路基板に実装されることを特徴とする、請求項５に記載のカード用コネクタ。
【請求項７】
前記端子モジュールのコンタクトが回路基板に半田付けられた後に、組み立てられた前記絶縁ハウジングとシェルとが前記端子モジュールの上方を覆い、端子モジュールを前記絶縁ハウジングの収容部に係合させることを特徴とする、請求項１乃至請求項６の中のいずれかの一項に記載のカード用コネクタ。
【発明の詳細な説明】
【技術分野】
【０００１】
本発明は、カード用コネクタに関し、特に構造が簡単であるカード用コネクタに関するものである。
【背景技術】
【０００２】
特許文献１に示すように、従来技術のカード用コネクタは、絶縁ハウジングと、インサート成形により絶縁ハウジングと一体的に形成されるコンタクトと、コンタクトを収容するための収容空間と、カード用コネクタと回路基板とを接続するための保持板とを備え、使用する際に、カードが前記収容空間に挿入して、カードの導電パッドがコンタクトに電気的に接続することにより、カードと回路基板の導電部材との間に電気的な接続を達成できる。
【特許文献１】米国特許第５４７０２６０号明細書
【発明の開示】
【発明が解決しようとする課題】
【０００３】
ところが、従来のカード用コネクタのコンタクトはインサート成形により絶縁ハウジングと一体的に形成されるので、コンタクトが回路基板の導電パッドに半田付けにより接続する際に、半田付け操作により生じる高温によって絶縁ハウジングは曲がり変形し易くなり、さらにカード用コネクタの性能が低下し、カードと回路基板との間の信号伝送に悪影響がある。そこで、上述した欠点を鑑みて、新型のカード用コネクタを開発することが必要である。
【０００４】
本発明は、絶縁ハウジングの曲がり変形が防止できるカード用コネクタを提供することを目的とする。
【課題を解決するための手段】
【０００５】
前記目的を達成するために、本発明のカード用コネクタは、収容部が形成される絶縁ハウジングと、前記絶縁ハウジングに取付けられ、カードを収容するための収容空間が形成されるシェルと、複数のコンタクトと回路基板に実装するための位置決め部材とを有する端子モジュールと、を含む回路基板に実装されたカード用コネクタにおいて、前記端子モジュールが前記絶縁ハウジングの収容部に分離可能に収容され、且つ端子モジュールのコンタクトが直ちに回路基板に半田付けされることを特徴とする。
【発明の効果】
【０００６】
従来の技術に比べると、本発明は以下の長所がある。前記端子モジュールが前記絶縁ハウジングの収容部に分離可能に収容されるので、端子モジュールのコンタクトが回路基板に半田付けられた後に、絶縁ハウジングが前記端子モジュールの上方を覆うように、端子モジュールを前記収容部に係合且つ収容させ、絶縁ハウジングと回路基板との半田付け操作が省略可能となるので、絶縁ハウジングの曲がり変形が防止できる。
【発明を実施するための最良の形態】
【０００７】
図１〜図４に基づいて、本発明のカード用コネクタ１００について説明する。本発明のカード用コネクタ１００は、絶縁ハウジング１と、コンタクト３０を有する端子モジュール３と、絶縁ハウジング１と端子モジュール３を覆っているシェル２とを有する。
【０００８】
図３を参照すると、絶縁ハウジング１に主体部１０と、主体部１０の両側からそれぞれ上向きに延出するように形成される両側部１２と、主体部１０の後端から上向きに延出するように形成される後側部１３とを備え、主体部１０の後端に端子モジュール３に対応した収容部１４が形成され、両側部１２に外表面にそれぞれ突出した複数の突起１５が形成され、且つ、両側部１２と後側部１３の頂面には凹部１６がそれぞれ窪んで形成される。
【０００９】
シェル２は、平板状の基部２０と、基部２０の側部から下向きに延出するように形成される両側壁２１と、基部２０の後縁部から下向きに延出するように形成される後壁２２とを備え、また、両側壁２１に絶縁ハウジング１の突起１５に対応した複数の係合口２３と、両側壁２１の縁端部から延出するように形成される位置決め部２４が形成され、基部２０の両側縁部と後縁部とから絶縁ハウジング１の凹部１６にそれぞれ対応した係止片２５が形成される。
【００１０】
図３及び図４を参照すると、端子モジュール３は、本体部３１と、本体部３１に装着される複数のコンタクト３０と、本体部３１の一側に装着されたスイッチ部材４とを有する。前記コンタクト３０は、インサート形成により本体部３１に一体的に形成され、第１導電端子組３０１と第２導電端子組３０２とを含む。本体部３１は、貫通するように形成された複数の収容孔３１０と、本体部３１から下向きに延出するように形成された複数の位置決め柱３２と、本体部３１の一側から延出するように形成された翼部３３とが設けられ、前記複数の開口３１０は、前後方向に沿って前後二列で配置されている。
【００１１】
前記コンタクト３０は、カードに電気的に接続するためのコンタクト部３０３と、回路基板に半田付けられる半田部３０４と、コンタクト部３０３及び半田部３０４とを連接するための連接部３０５とを含み、その中、前記第１導電端子組３０１の連接部３０５が一側で折り曲げられ、第２導電端子組３０２の連接部３０５より長くなっている。第１導電端子組３０１のコンタクト部３０３が前列の収容孔３１０に挿入され、第２導電端子組３０２のコンタクト部３０３が後列の収容孔３１０に挿入されている。第１導電端子組３０１と第２導電端子組３０２との半田部３０４が本体部３１の後端を延出するように突出している。
【００１２】
前記翼部３３は、真空吸引操作をするための平面であり、前記スイッチ部材４を収容するための受入部３６を有する。受入部３６は受入溝３６１と、受入溝３６１の両側から翼部３３を突出するように延出する係合アーム３６２と、係合アーム３６２の外表面に設けられる凸部３６３とを有する。前記スイッチ部材４は、第１部材４０と第２部材４１とを有し、前記第１部材４０は、前記翼部３１の受入溝３６１に係合され、且つ帯状を呈する固定部４０１と、固定部４０１の一端から上向きに斜めに延出するように形成された弾性的な接触部４０２とが設けられる。第２部材４１は基部４２０と、基部４２０の両側縁部から下向きに延出するようにそれぞれ形成される保持アーム４２１と、基部４２０の中央に形成される溝部４２３と、基部４２０の一端から上向きに延出するように形成される延出片４２２とを有し、各保持アーム４２１に前記受入部３６の凸部３６３に係合するための係止口４２４がそれぞれ形成される。第２部材４１は、係止口４２４が前記凸部３６３に係合されることにより前記係合アーム３６２に取付られる。前記接触部４０２が溝部４２３に挿入され、且つ、末端部４０３が前記第２部材４１の基部４２０に下向きに窪んで形成された窪み部４２５に当接している。
【００１３】
取付けた際に、端子モジュール３は位置決め柱３２によって回路基板（図示せず）に実装され、コンタクト３０の半田部３０４が回路基板の導電パッドに半田付けされることによって、コンタクト３０と回路基板との電気的な接続を達成している。シェル２の係止片２５が絶縁ハウジング１の凹部１６に係止されるとともに、シェル２の係合口２３が絶縁ハウジング１の突起１５にそれぞれ対応し係合することによって、シェル２が絶縁ハウジング１に取り付けられ、シェル２と絶縁ハウジング１とによってカードを収容するための収容空間（参照記号なし）が形成される。次に、シェル２と絶縁ハウジング１とは、回路基板に実装された端子モジュール３に下向きに覆い、端子モジュール３を絶縁ハウジング１の収容部１４内に完全に収容して、コンタクト３のコンタクト部３０３が前記収容空間に向かって突出している。前記シェル２の位置決め部２４によって、シェル２と絶縁ハウジング１とが回路基板に固持される。
【００１４】
使用する際に、カードが前記収容空間に挿入され、端子モジュール３のコンタクト３０のコンタクト部３０３に接続することによって、回路基板の導電パッドに電気的に接続されている。また、カードが完全に収容空間に挿入された際に、スイッチ部材４の接触部４０２がカードに対して下向きに押圧されるので、その接触部４０２の末端部４０３と窪み部４２５との接触が解除され、カードが収容空間に完全に挿入されたか否かが検知されるというスイッチとしての効果が実現される。
【００１５】
本発明のカード用コネクタは、絶縁ハウジング１と端子モジュール３とが分離可能的な分体であるので、端子モジュール３が回路基板に半田付けされた後に、組み立てられた絶縁ハウジング１とシェル２とが端子モジュール３の上方を覆い、端子モジュール３を収容部１４に係合且つ収容させ、シェル２の位置決め部２４により、カード用コネクタ１００が回路基板に実装される。絶縁ハウジング１と回路基板との半田付け操作が省略可能となるので、絶縁ハウジング１の曲がり変形を防止することができる。
【００１６】
以上、本発明について好ましい実施形態を参照し詳細に説明したが、実施形態はあくまでも例示的なものであり、これらに限定されるものではない。また上記説明における本発明に基づきなし得る細部の修正或は変更などは、いずれも本発明の請求範囲に属するものとする。
【図面の簡単な説明】
【００１７】
【図１】本発明に係るカード用コネクタの組立斜視図である。
【図２】図１に示すカード用コネクタの他の角度から見た組立斜視図である。
【図３】本発明に係るカード用コネクタの分解斜視図である。
【図４】本発明に係るカード用コネクタの端子モジュールの分解斜視図である。
【符号の説明】
【００１８】
１  絶縁ハウジング
２  シェル
３  端子モジュール
４  スイッチ部材
１０  主体部
１２  両側部
１３  後側部
１４  収容部  
１５  突起
１６  凹部
２０  基部
２１  両側壁
２２  後壁
２３  係合口
２４  位置決め部
２５  係止片
３１  本体部
３２  位置決め柱
３３  翼部
３６  受入部
４０  第１部材
４１  第２部材
１００  カード用コネクタ
３０１  第１導電端子
３０２  第２導電端子
３０３  コンタクト部
３０４  半田部
３０５  連接部
３１０  開口
３６１  受入溝
３６２  係合アーム
３６３  凸部
４０１  固定部
４０２  接触部
４０３  末端部
４２０  基部
４２１  保持アーム
４２２  延出片
４２３  溝部
４２４  係止口
４２５  窪み部
【図１】
2008130545.tif 000003
【図２】
2008130545.tif 000004
【図３】
2008130545.tif 000005
【図４】
2008130545.tif 000006